(57)【特許請求の範囲】
【請求項１】
充電を行うことが可能な電池と、前記電池と電気的に接続される電池端子と前記電池の充電の制御を行う充電回路とが実装される基板と、前記基板と前記電池を覆う筐体と、を備え、
前記電池端子は、前記電池と前記充電回路を電気的に接続する導電部材と、前記導電部材の周囲を覆うように取り付けられる非導電部材と、当該非導電部材の外周に取り付けられ前記充電回路と電気的に接続するコンタクト部と、を有し、
前記筐体は、その外面に他の電子機器と電気的に接続可能な充電端子を有し、
前記コンタクト部と前記充電端子は、前記筐体の内側にて電気的に接続される
ことを特徴とする携帯電子機器。
【請求項２】
前記コンタクト部は、前記基板と固定する固定部を有している
ことを特徴とする請求項１に記載の携帯電子機器。
【請求項３】
前記コンタクト部と前記充電端子の少なくとも一方には、他方に電気的に接続する為の弾性部材を有する
ことを特徴とする請求項２に記載の携帯電子機器。
【発明の詳細な説明】
【技術分野】
【０００１】
本発明は、電池により駆動される携帯電子機器に関する。
【背景技術】
【０００２】
携帯電話やＰＤＡ（Personal Digital Assistants）等、２次電池を内蔵する携帯電子機器は、２次電池のエネルギーを取り出す電池端子と、エネルギーを注入するための充電端子とを有する。そして、充電端子は、これら携帯電子機器の端部に設けられることが多い。また、安全性を確保するために、機器筐体に露出する充電端子の＋−の距離を十分に取り、あるいは信頼性向上のために、専用の充電台を用いて誤った組み合わせで充電が出来ないように充電端子の位置や形状、あるいは筐体形状等を工夫し、適正な組み合わせでのみ充電を行うようにしている。
【０００３】
また、小型化、薄型化、更には、デザインの多様化に伴い、例えば、図９に示されるように、充電端子３００ａ、３００ｂと電池端子３００ｃとを筐体の一部を構成する筐体片１００の端部に実装される入出力コネクタ３００にて一体化することにより部品点数の削減をはかり、基板上の省スペース化をはかる技術が知られている（例えば、特許文献１、２参照）。
【特許文献１】特開２００１−２６８８１２号公報
【特許文献２】特開平１１−１１１３９９号公報
【発明の開示】
【発明が解決しようとする課題】
【０００４】
一方、アンテナを内蔵する携帯電子機器では、受信感度を良好に保つため、アンテナを機器の端部に設けることが要求される。よって、筐体の端部がアンテナに占有されてしまうため、上記した充電端子を携帯電子機器の端部に設けることが困難になった。
このため、図１０に示されるように、充電端子３００ａ、３００ｂを機器筐体の外部、特に端部以外の面に露出させる構造が考えられる。具体的に、充電端子３００ａ、３００ｂは基板３０の中央部付近に配置され、携帯機器における基板３０を覆う筐体片１００の天面（あるいは底面）の中央付近に露出する構造になっている。
なお、図１１（ａ）（ｂ）（ｃ）は、電池端子５０００を基板３０に実装したときに、基板３０に接する面を底面と仮定した場合における天面側から見た図と、同じく電池端子５０００を後述する電源端子を正面にとらえた図、および側面図からとらえた図を示した図であり、金属板からなるアンカ５０１により基板３０上に固定されるものである。
電池端子５０００は、＋−の電源端子（５０１０ａ、５０１０ｂ）と１本の信号端子（５０１ｃ）とからなる。
また、前記電源端子（５０１０ａ、５０１０ｂ）と信号端子５０１０ｃは、電池端子５０００の内部を貫通する。
また、電池端子５０００は、パターンがひかれた基板３０上に実装される。
電池端子５０００は、基板３０上にひかれたパターンと電気的に接続される。この基板３０上のパターンと電気的に接続する為に、電池端子５０００は、基板接続端子３０ａ、３０ｂ、３０ｃを基板３０のパターンが配される箇所に有する。
そして、電源端子（５０１０ａ、５０１０ｂ）と信号端子５０１０ｃは、電池端子の前記基板３０の実装される面で電気的に接続する基板接続端子３０ａ、３０ｂ、３０ｃと、電池端子の内部で電気的に接続されている。
この基板３０に配されたパターンは、さらに基板上に実装された電子部品に電気的に接続されている。
従って、電池端子は、電池６０の電力を基板上に実装された電子部品へ供給することが出来る。
上記した構造は基板３０上でさえあれば比較的自由にレイアウトできるため、上記した安全性や信頼性を確保したまま携帯電子機器の小型化、薄型化、あるいはデザインの多様性に応えやすい。
一方で、電池６０へのエネルギー注入経路を構成する回路部分（充電経路）として、充電端子３００ａ、３００ｂは電池端子５０００近傍に配置して路線インピーダンスを極小化することが電気回路設計上、あるいはプリント基板設計上において好ましい。しかし、上記した安全性や信頼性を確保した小型化やデザインの多様性のため、充電端子３００ａ、３００ｂは、必ずしも電池端子５００の近くに配置できるとはいえず、その場合、路線インピーダンスを極小化することが出来ない。
また、携帯電子機器の外部から供給される商用電源は、ノイズを携帯電子機器内の電子部品へ与え易い。この商用電源ノイズが基板３０内を通ることで近傍の配線へノイズが伝播して誤動作や故障する恐れがある。充電経路の配線が延びるとノイズの配慮も広範囲になり、電気回路設計、あるいはプリント基板設計上の制約となる。
【０００５】
また、特許文献１において示された外部にむき出しになっている充電端子は導電性の物質を介して電池へ接続される構成となっている。従って、電池に電力が充電された状態では、外部にむき出しになっている充電端子間で電位差が生じる為に、導電性の物質が接触する等して充電端子間でショートを起こす虞があった。
【０００６】
本発明は上記した課題を解決するためになされたものであり、安全性や信頼性の確保を図りながら、小型化、薄型化、あるいはデザインの多様性に対応でき、基板上から部品の数を削減することによって充電経路として最適な電気回路および基板の設計要求を満たすことのできる、携帯電子機器を提供することを目的とする。
【課題を解決するための手段】
【０００７】
上記した課題を解決するために本発明の携帯電子機器は、充電を行うことが可能な電池と、前記電池と電気的に接続される電池端子と前記電池の充電の制御を行う充電回路とが実装される基板と、前記基板と前記電池を覆う筐体と、を備え、前記電池端子は、前記電池と前記充電回路を電気的に接続する導電部材と、前記導電部材の周囲を覆うように取り付けられる非導電部材と、当該非導電部材の外周に取り付けられ前記充電回路と電気的に接続するコンタクト部と、を有し、前記筐体は、その外面に他の電子機器と電気的に接続可能な充電端子を有し、前記コンタクト部と前記充電端子は、前記筐体の内側にて電気的に接続される。
【０００８】
また、本発明の携帯電子機器において、前記コンタクト部は、前記基板と固定する固定部を有してもよい。
【０００９】
また、本発明の携帯電子機器において、前記コンタクト部と前記充電端子の少なくとも一方には、他方に電気的に接続する為の弾性部材を有してもよい。
【発明の効果】
【００１０】
本発明の携帯電子機器によれば、安全性や信頼性の確保を図りながら、小型化、薄型化、あるいはデザインの多様性に対応でき、充電経路として最適な電気回路および基板の設計要求を満たすことができる。
【発明を実施するための最良の形態】
【００１１】
図１は、本発明の実施の形態に係る携帯電子機器としての携帯電話１の外観を開状態で示す正面図であり、図２は、携帯電話１の外観を開状態で示す視点が側方寄りの斜視図であり、図３（ａ）は、携帯電話１の外観を閉状態で示す正面図であり、図３（ｂ）は、携帯電話１の外観を閉状態で示す背面図である。
なお、従来実施例と比較して、構成に差がない箇所においては、本実施例と従来実施例を、同一の名前、符号を用いている。
【００１２】
携帯電話１は、いわゆる折り畳み式の筐体構造になっており、開状態と閉状態との間で互いに回動自在に連結された受話筐体２、および送話筐体３とを備えている。
受話筐体２および送話筐体３は、それぞれの端部が回動の中心となる連結部４により連結されることにより携帯電話１として全体の筐体を形成する。
受話筐体２および送話筐体３は、それぞれ概ね薄型直方体状に形成されている。携帯電話１が閉状態のとき、受話筐体２と送話筐体３は互いに重ね合わされ、一方の筐体側から他方の筐体側を見たときに互いの輪郭が略一致するようになっている。
【００１３】
また、受話筐体２は、閉状態で送話筐体３に対向する面側の正面側ケース６を有している。また、受話筐体２は、受話筐体２の背面側の背面側ケース７と、背面側ケース７の背面側に取り付けられるパネル８とを備えている。受話筐体２の閉状態で送話筐体３に対向する正面Ｓ１は正面側ケース６により構成され、その反対側の背面Ｓ２は背面側ケース７およびパネル８により構成されている。
正面側ケース６、背面側ケース７およびパネル８は、例えば、非導電性の樹脂によりそれぞれ成形されている。
【００１４】
受話筐体２の正面Ｓ１には、通話用のスピーカ（５０）の放音孔１２が開口している。受話筐体２には、正面Ｓ１に映像や文字を表示するメイン表示部１３（表示モニタ）と、背面Ｓ２に映像や文字を表示するサブ表示部１４（図３（ａ））とが設けられている。
すなわち、閉状態にて隠れる位置にメイン表示部１３が、閉状態にしても隠れない位置にサブ表示部１４がそれぞれ設けられている。メイン表示部１３、およびサブ表示部１４は、例えば、ＬＣＤ表示装置や、有機ＥＬ（Electro-Luminescence）表示装置などの表示デバイスにより構成される。
【００１５】
なお、パネル８は透光性を有しており、サブ表示部１４の保護カバーを兼ねている。さらに、パネル８の内側には背面Ｓ２側を撮影方向とするカメラ２０が配されている。
【００１６】
送話筐体３は、閉状態で受話筐体２に対向する面側の正面側ケース９を有している。また、送話筐体３は、送話筐体３の背面側の背面側ケース１０と、背面側ケース１０の背面側に被せられる蓋体７０とを備えている。送話筐体３の閉状態で受話筐体２に対向する正面Ｓ３は正面側ケース９により構成され、その反対側の背面Ｓ４は背面側ケース１０および蓋体７０により構成されている。正面側ケース９、背面側ケース１０および蓋体７０は、たとえば非導電性の樹脂によりそれぞれ成形されている。
【００１７】
また、送話筐体３内部には不図示のガイドに沿って電池６０が内蔵されている。当該電池６０は、蓋体７０により覆われている。背面側ケース１０には、電池６０の周端部にラッチ８１が設けられており、このラッチ８１により電池６０を送話筐体３内部に係合することで電池６０が離脱することを防いでいる。
【００１８】
また、上記した蓋体７０の外側には、充電端子７０１ａ、７０１ｂが貼付実装されている。
【００１９】
一方、送話筐体３の正面Ｓ３には通話用のマイクロフォン（不図示）の集音孔１６が開口し、背面Ｓ４では報知用スピーカ（不図示）に放音孔１７が外側へ向けて閉口している。送話筐体３には、正面Ｓ３に露出する各種キーを含む操作部１８が設けられている。各種キーとは、たとえばダイヤルキー１８ａ、カーソルキー１８ｂ、ファンクションキー１８ｃ、決定キー１８ｄである。また、送話筐体３には、背面Ｓ４側を送受信方向とする赤外線専用の赤外線通信部２１が設けられている。
【００２０】
連結部４は、受話筐体２の端部に切り欠き部２７が、送話筐体３の端部に突出部２８が形成され、切り吹き部２７に突出部２８が嵌合されて互いに回動自在に軸支され、構成されている。切り欠き部２７および突出部２８は、例えば、回転軸方向（図１の紙面左右方向）の幅が受話筐体２および送話筐体３の幅の半分程度の大きさに形成され、受話筐体２および送話筐体３の幅方向の中央に形成されている。突出部２８は、送話筐体３の正面Ｓ３から、閉状態において受話筐体２と対向する方向へ、受話筐体２の厚みと同程度の高さで突出している。
【００２１】
図４は、本発明の実施の形態にかかわる電子機器の信号処理系の構成の一例を示すブロック図である。ここでも携帯電子機器として携帯電話１を用いて説明を行う。
【００２２】
携帯電話１は、図４に示されるように、受話筐体２と、送話筐体３とから成る。受話筐体２と送話筐体３とは、上記したように機械的には連結部４（ヒンジ機構）を介して接続され、電気的には第１のケーブルとしてのメインケーブル４３と、第２のケーブルとしてのカメラケーブル４４とにより接続される。これらメインケーブル４３、およびカメラケーブル４４は、ともに細線同軸ケーブルにより構成され、ともに切り欠き部２７から突出部２８内へ挿通するヒンジ軸受け内を通って送話筐体内と受話筐体内とを連結している。
【００２３】
細線同軸ケーブルは、同軸ケーブルの中でも比較的径が小さいものであり、たとえば、直径１ｍｍ以下である。最近では、直径０．３ｍｍ以下のものも知られ、ＦＰＣに比べて耐ノイズ性が高く、配線性および屈曲性に優れている。
【００２４】
受話筐体２には、メイン表示部１３と、サブ表示部１４と、カメラ２０と、スピーカ５０とが実装される。また、メイン表示部１３と、サブ表示部１４は、表示デバイスとしてＬＣＤが実装される。
【００２５】
一方、送話筐体３は、基板３０と、ＴＶアンテナ３１と、送受信アンテナ３５と、マイク４２と、電池６０と、により構成される。基板３０上には電子部品である、ＴＶチューナ３２と、映像復号部３３と、画像表示制御部３４と、通信処理部３６と、音声処理部３７と、主制御部３８と、キー入力処理部３９と、メモリ４０（主記憶部）と、スイッチ回路４１と、充電制御部４５（特許請求の範囲における充電回路）と、電池端子５００とが実装される。
【００２６】
主制御部３８は、例えば、ＣＰＵ（不図示）により構成され、ＣＰＵがメモリ４０に記録されたプログラムを逐次読み出し実行することにより、ＴＶチューナ３２、映像復号部３３、画像表示制御部３４、通信処理部３６、音声処理部３７、キー入力処理部３９、充電制御部４５等を制御する。
主制御部３８は、受話筐体２と送話筐体３が開状態にあるときは画像表示制御部３４による画像表示をメイン表示部１３にて行わせる。また、受話筐体２と送話筐体３の閉状態を検出すると、テレビ放送の録画中を除き、画像表示制御部３４による画像の表示をメイン表示部１３からサブ表示部１４へ切り替える。
【００２７】
ＴＶチューナ３２は、ＴＶアンテナ３１を介して受信される、たとえば、地上波デジタル放送波を中間周波数信号に変換して復調し、さらに、復調して得られる信号を、映像信号成分と音声信号成分に分離し、映像復号部３３、音声処理部３７のそれぞれに供給する。
【００２８】
音声処理部３７は、入力される音声信号成分から音声信号を生成し、メインケーブル４３経由で受話筐体２のスピーカ５０へ出力する。
また、映像復号部３３は、入力される映像信号成分を復号化し、共通バス９９を介して画像表示制御部３４へ出力する。画像表示制御部３４は、映像復号部３３により出力される復号信号を所定のフォーマットにしたがう画像データに変換し、メインケーブル４３を経由して受話筐体２のメイン表示部１３に出力する。
【００２９】
画像表示制御部３４は、カメラ２０により撮影され生成される撮像データをカメラケーブル４４、共通バス９９経由で取得し、所定のフォーマットに従う画像データに変換し、メインケーブル４３経由で受話筐体２のメイン表示部１３もしくはサブ表示部１４へ出力する。
【００３０】
また、通信処理部３６は高周波回路を含む。また、通信処理部３６は、電波を用いた無線音声通信を行うために、マイク４２を介して入力され音声処理部３７で処理された音声データを変調して送受信アンテナ３５を介し送信する。通信処理部３６はまた、送受信アンテナ３５を介して受信した信号を復調し、音声処理部３７経由で受話筐体２のスピーカ５０に出力する。
【００３１】
キー入力処理部３９は、操作部１８に配置された各種キーが押下されることによって生成される入力情報を取得し、主制御部３８へ引き渡す。なお、配置される各種キーの中にはＴＶ放送の録画を指示する録画キーも含まれる。また各種キーのうち、いくつかのキーは、受話筐体２側にも配されていてもよい。このとき、受話筐体２に配されたキーからの入力は、メインケーブル４３を介して、主制御部３８へ入力される。さらに側面に配されるサイドキーも含まれる。
【００３２】
メモリ４０には、主制御部３８が実行するプログラムや、当該プログラムが参照するテーブル、あるいは作業領域として使用するデータ（表示データも含む）のそれぞれが格納される記憶領域が割り付けられている。
メモリ４０は、具体的には、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００３３】
なお、充電制御部４５は、電池６０に対し、クレードル等の置き台からなる不図示の充電器から供給される電力を充電制御する。このとき、電池６０からの電圧によって充電端子へ電位差が生じないような制御も行う。詳細は後述する。
【００３４】
以下、図５〜図８を参照しながら本発明の実施の形態に係る携帯電子機器について、実施例毎、詳細に説明する。
【００３５】
（実施例１）
図５（ａ）（ｂ）（ｃ）、図６は、本発明の実施例１に係る電池端子５００と、携帯電子機器の実装構造を説明するために示した図である。図５（ａ）は、電池端子５００が実装される基板３０を下にしたとき、当該電池端子５００を上から見たときの様子を示したものである。また、図５（ｂ）は、電池６０側から電池端子５００をみたときの様子を示したものである。さらに、図５（ｃ）は、図５（ａ）で示した向き、図５（ｂ）で示した向きの両方の向きに直交する向きから、電池端子５００を見たときの様子を示した図である。特徴的には、図５（ａ）（ｂ）に示されるように、電池端子５００を基板３０に固定するための固定補強用金属部（特許請求の範囲におけるコンタクト部）（以下、アンカ５０１という）の天板を２つ（５０１ａ、５０１ｂ）に分割し、例えば、天板５０１ａを基板３０上の正極、天板５０１ｂを負極の充電用コンタクト端子として用いることにある。
電池端子５００は、図示されるように、＋（正極）、−（負極）の導電性のある電源端子５００ａ、５００ｂと、同様に導電性を有する接地用の端子５００ｃを備え、電源端子５００ａ、電源端子５００ｂ、信号端子５００ｃはそれぞれ電池端子５００の背面に設けられた基板接続端子３０ａ、３０ｂ、３０ｃに電池端子５００を貫通して電気的に接触し、当該基板接続端子３０ａ、３０ｂ、３０ｃを介して基板３０上に実装される電子部品に電気的に接続され、電池６０の電力を供給する。この機構は、従来技術における電池端子５０００と同じである。
【００３６】
また、図３（ｂ）、図６に示されるように、機器筐体（送話筐体３）の蓋体７０には、充電端子部が固着される。すなわち、機器筐体の蓋体７０の外側の面には、安全性を考慮して充電端子７０１ａ、７０１ｂがそれぞれ十分に離した位置で露出している。さらに蓋体７０の内面には、上記した充電端子７０１ａ、７０１ｂを内壁に沿って電池端子５００の実装位置まで誘導する板金７０１ｃ、７０１ｄが固着されている。板金７０１ｃ、７０１ｄは、線状の金属板によって形成され、充電端子７０１ａ、７０１ｂをそれぞれの一端で接続されている。そして板金７０１ｃ、７０１ｄは、充電端子７０１ａ、７０１ｂと接触している箇所とは反対側の端部に、バネ接点（弾性部材）７０２ｃ、７０２ｄが接続されている。バネ接点７０２ｃ、７０２ｄは電池端子５００を固定するアンカ５０１の天板５０１ａ、５０１ｂ（コンタクト部）に、それぞれ適正なバネ圧で当接合する。接触部７０２を有する。そして、コンタクト部は、基板３０上に配されるパターンを介して充電制御部４５と接続される。そして、充電制御部を間に介して、コンタクト部は、基板接続端子３０ａ、３０ｂ、３０ｃに接続される。
【００３７】
上記した実施例１によれば、電池端子５００を基板３０上に固定するアンカ５０１をコンタクト端子部として２つに分割して基板３０上の充電端子として用いることで、基板３０上の部品実装面積を増やすことなく、従来、基板３０上に実装していた充電専用端子を不要とすることができる。
また、充電端子の実装位置は、機器筐体（送話筐体３）の背面であれば板金の形状を変更するだけで任意の位置に容易に設定できるため、安全性、信頼性、さらには多様なデザイン要求にも柔軟に応じることができる。
【００３８】
更に、充電経路は、配線を容易に極小化でき、したがって良好な電気回路基板が実現される。また、携帯電子機器外部から供給される充電電流が回路基板内を通る距離を極力短く出来るため、基板３０上に配された電子部品は商用電源のノイズも受けにくくなり、携帯電子機器が本来持つ性能を維持しやすくなる。
【００３９】
また、充電器が接続されていない状況で、アンカ５０１と電池端子５００とを接続する導線部分はハイインピーダンス状態となる。ハイインピーダンス状態の金属は、一般に外部からの電磁波ノイズに影響される。そして、電磁ノイズの影響を受けた金属は、周りへ電磁ノイズを放射する。
従来のように、２つの充電端子と充電制御部とが基板上に存在するとき、充電端子と充電制御部の間に配される導線部分は、基板上に２本配される。この２本の導線は、充電制御部から延びているときは２本平行に基板上に配され、離れた位置にある２つの充電端子へ向けて途中で分岐して伸びて配される。
一方本発明において、充電制御部４５とアンカ５０１を接続する基板３０上の導線は、充電制御部４５とアンカ５０１の間に配される。アンカ５０１を有する電池端子５００の個数は１つなので、充電制御部４５より伸びた２本の導線は、平行にそろった状態で電池端子５００へ接続される。
従って、本発明における基板に配される導線部が基板上にて占める占有面積は、従来技術における基板３０に配される導線部が基板上にて占める占有面積に比べて、導線の分岐が無い分だけ小さくなる。
よって、本発明における導線部分のほうが近くに配される電子部品の数が少ない為に、基板上に配される電子部品のうち、導線部分から電磁ノイズの影響を受ける部品の数が従来よりも少なくなる。同様に充電器が接続された状態においては分岐が無いため、面積を狭く出来、商用電源のノイズの影響を受けにくくすることができる。
【００４０】
図７（ａ）（ｂ）（ｃ）および図８は、本発明の実施例２に係る携帯電子機器の実装構造を説明するために示した図である。
図５（ａ）（ｂ）（ｃ）、図６に示した実施例１との差異は図７（ａ）（ｂ）に示されるように電池端子５０５を基板３０上に固定するアンカ（５０６）の天板をコンタクト端子として３つ（５０８ａ、５０８ｂ、５０８ｃ）に分割したことにある。
実施例１においては、電池端子５００の両側面のアンカはそれぞれ、電池端子５００の天面に形成される２つのコンタクト端子の一方ずつに接続されている。これにより２つのコンタクト端子は、それぞれ異なったアンカにて基板に接続されることとなる。
これに対して実施例２においては、電池端子５０５は少なくとも３つ以上のアンカを有しており、その上で、天面には３箇所のコンタクト端子（５０８ａ、５０８ｂ、５０８ｃ）が形成される。
【００４１】
具体的には、図７（ａ）に示すように、電池端子５０５には、その天面の紙面下部に第１のコンタクト端子５０８ａが設けられると共に、第１のコンタクト端子から紙面左右方向に延在されて電池端子の左右両側端に形成される第１のアンカと第２のアンカ、さらに第１のコンタクト端子よりも紙面上方右側に第２のコンタクト端子５０８ｂが設けられると共に、電池端子の右方向側端に延在されて形成される第３のアンカ、第１のコンタクト端子よりも紙面上方左側に第３のコンタクト端子５０８ｃが設けられると共に、電池端子の左方向側端に延在されて形成される第４のアンカ、がそれぞれ設けられている。
【００４２】
次に、図８を用いて蓋体７１周辺の説明を行う。蓋体７１の内部には板金８０１、８０２、８０３が取り付けられている。板金８０１は、一端には充電端子８０１ａが、他端にはバネ接点８０１ｂが一体に形成されており、板金８０２、８０３も同様に一端には充電端子８０２ａ、８０３ａが、他端にはバネ接点８０２ｂ、８０３ｂが一体に形成されている。
蓋体７１には３箇所の開口が設けられており、給電端子８０１ａ、８０２ａ、８０３ａがこれらの開口から露出するよう、蓋体７１の内部に板金８０１，８０２、８０３が取り付けられる。そして、バネ接点８０１ｂ、８０２ｂ、８０３ｂは、蓋体７１内面から基板３０に向かう方向に弾性を有して突出しており、蓋体７１が基板３０を覆った際に、電池端子５０５天面上の３箇所のコンタクト端子（５０７ａ、５０７ｂ、５０７ｃ）のそれぞれに、バネの弾性により付勢された状態で図７（ｂ）に示すように当接し、導通する。
【００４３】
これにより、給電端子８０１ａ、８０２ａ、８０３ａはそれぞれ、第１のアンカと第２のアンカと第３のアンカのそれぞれと導通することとなる。さらに、第１のアンカと第２のアンカのそれぞれは基板接続端子３０ａ、３０ｂに接続される。そして、基板３０上にひかれているパターンを介して、基板接続端子３０ａ、３０ｂは充電制御部４５と接続されている。また、第３のアンカは図示しない信号処理回路に接続されることとなり、携帯電話１からの出力信号を給電端子８０３ａにて筐体外に出力することが可能となる。この端子により出力される信号と、基準電位との差分により、例えば充電台に付加機能として備えた外部スピーカの駆動制御を行うことが出来る。
【００４４】
以上、説明したように、本発明の実施例１においては、電池端子の天面に複数のコンタクト端子を形成して、これらのコンタクト端子と電池端子を実装固定するアンカとを一体の金属により形成した。さらに、コンタクト端子と導通可能なバネ端子が形成される板金を、基板および電池を覆う蓋体の内側に取り付け、しかも板金の一端が筐体外に接点として露出する、あるいは蓋体を貫通する接点部品に接続されるように構成した。
これにより、内蔵アンテナなどの他の実装部品による実装スペースの制約を受けることなく、実装される様々な電子部品同士のノイズの影響を低減した、しかも安全な構成の充電電流を通すことの出来る新規な携帯電子機器を提供することが出来る。
【００４５】
また、実施例１と比して、実施例２では、電池端子の天面に第３のコンタクト端子をさらに形成して、充電電流の流れるアンカとは異なるアンカに第３のコンタクト端子が繋がり、この第３のコンタクト端子と導通可能な第３の板金を蓋体内側に設け、第３の板金の一端が筐体外に接点として露出するように構成した点が異なる。この構成により、実装面積の増大を極力防止しつつも、さらに外部機器をコントロールする信号の出力端子を設けるなどの、追加の端子を筐体に設けることが出来るようになる。
【００４６】
なお、上記した実施例１、実施例２の電子機器によれば、携帯電子機器として携帯電話１のみ例示したが、携帯電話１に限らず、ＰＤＡ（Personal Digital Assistants）、やゲーム機等の携帯端末全般に同様に適用が可能である。
【図面の簡単な説明】
【００４７】
【図１】本発明の実施の形態に係る電子機器の外観を開状態で示した正面図である。
【図２】本発明の実施の形態にかかわる電子機器の外観を開状態で示す視点が側方寄りの斜視図である。
【図３】本発明の実施の形態にかかわる電子機器の外観を閉状態で示す正面図および背面図である。
【図４】本発明の実施の形態にかかわる電子機器の信号処理系の構成の一例を示すブロック図である。
【図５】本発明の実施例１に係る携帯電子機器の実装構造を説明するために示した図である。
【図６】本発明の実施例１に係る携帯電子機器の実装構造を説明するために示した図である。
【図７】本発明の実施例２に係る携帯電子機器の実装構造を説明するために示した図である。
【図８】本発明の実施例２に係る携帯電子機器の実装構造を説明するために示した図である。
【図９】従来の携帯電子機器の実装構造を説明するために示した図である。
【図１０】従来の携帯電子機器の実装構造を説明するために示した図である。
【図１１】従来の携帯電子機器の実装構造を説明するために示した図である。
【符号の説明】
【００４８】
１…携帯電話、２…受話筐体、３…送話筐体、３０…基板、３８…主制御部、４５…充電制御部、６０…電池、５００，５０５…電池端子、５０１，５０６…アンカ、５０８ａ，５０８ｂ，５０８ｃ…天板（コンタクト端子部）、７０１ａ（７０１ｂ）…充電端子、７０２ａ（ｂ）…バネ接点、７０１ｃ（ｄ）…板金（充電端子部）、８０１，８０２，８０３…板金、８０１ａ，８０２ａ，８０３ａ…充電端子、８０１ｂ，８０２ｂ，８０３ｂ…バネ接点。
【図１】
0005031458.tif 000002
【図２】
0005031458.tif 000003
【図３】
0005031458.tif 000004
【図４】
0005031458.tif 000005
【図５】
0005031458.tif 000006
【図６】
0005031458.tif 000007
【図７】
0005031458.tif 000008
【図８】
0005031458.tif 000009
【図９】
0005031458.tif 000010
【図１０】
0005031458.tif 000011
【図１１】
0005031458.tif 000012